(57)【要約】【課題】  撮像装置において音声の記録・再生などの処理を行う場合に、少ない操作部材で処理のための操作を行えるようにすること。【解決手段】  画像と、音声を記録・再生可能な撮像装置（１００）において、音声ファイル（５０２）と、該音声ファイルに対する操作（５０４）を選択するためのグラフィカルユーザインタフェース（５０１）を表示し、該グラフィカルユーザインタフェース上の音声ファイルのいずれかを選択する機能を上下ボタン（３１１、３１２）に割り当て、操作のいずれかを選択する機能を左右ボタン（３０９、３１０）に割り当て、予め設定された所定の操作が選択された場合に、上下ボタンに前記音声ファイルを選択する以外の機能を再割り当てする。【選択図】  図３
2006304000.tif 000002
【特許請求の範囲】
【請求項１】
画像及び音声を記録・再生可能な撮像装置であって、
音声を処理する音声処理手段と、
前記音声処理手段に処理を指示するための、音声ファイルと、該音声ファイルに対する操作を選択するためのグラフィカルユーザインタフェースを表示制御する表示制御手段と、
前記グラフィカルユーザインタフェースに表示された前記音声ファイルのいずれかを選択する機能を割り当てられた第１の操作部材と、
前記グラフィカルユーザインタフェースに表示された、前記音声ファイルに対する操作のいずれかを選択する機能を割り当てられた第２の操作部材と、
前記第２の操作部材が選択した操作が予め設定された所定の操作である場合に、前記第１の操作部材に前記音声ファイルを選択する以外の機能を割り当てる再割り当て手段とを有し、
前記音声処理手段は、前記第１及び第２の操作部材によって選択された音声処理を実行することを特徴とする撮像装置。
【請求項２】
前記音声ファイルに対する操作は、再生、再生の停止、録音、録音の停止、早送り、巻き戻し、消去、プロテクト、音量の変更を含むことを特徴とする請求項１に記載の撮像装置。
【請求項３】
前記所定の操作は音量を変更する操作であって、前記第２の操作部材により当該操作が選択された場合に、前記再割り当て手段は、前記第１の操作部材に音量を上下する機能を割り当てることを特徴とする請求項１または２に記載の撮像装置。
【請求項４】
前記所定の操作は録音を指示する操作であって、前記第２の操作部材により当該操作が選択された場合に、前記再割り当て手段は、前記第１の操作部材の操作を無効にすることを特徴とする請求項１乃至３のいずれかに記載の撮像装置。
【請求項５】
上下ボタン及び左右ボタンを、前記第１の操作部材及び前記第２の操作部材として用いることを特徴とする請求項１乃至４のいずれかに記載の撮像装置。
【請求項６】
前記音声処理手段による音声の処理の開始を指示するための第３の操作部材と、
前記第３の操作部材が操作された場合に、音声ファイルがすでに存在するかどうかを判断する判断手段とを更に有し、
前記判断手段により音声ファイルが存在しないと判断された場合に、前記操作として録音が自動的に選択され、前記再割り当て手段は、前記第１の操作部材の操作を無効にすることを特徴とする請求項１乃至５のいずれかに記載の撮像装置。
【請求項７】
前記音声ファイルに対する操作として録音が選択された場合に、前記表示制御手段は、新しく作成される音声ファイルを選択状態とするグラフィカルユーザインタフェースを表示することを特徴とする請求項１乃至６のいずれかに記載の撮像装置。
【請求項８】
画像及び音声を記録・再生可能であると共に、音声を処理可能であって、音声処理を指示するための、音声ファイルと、該音声ファイルに対する操作を選択するためのグラフィカルユーザインタフェースを表示制御する表示制御手段と、第１及び第２の操作部材とを有する撮像装置における操作制御方法であって、
前記第１の操作部材に前記グラフィカルユーザインタフェースに表示された前記音声ファイルのいずれかを選択する機能を割り当てる工程と、
前記第２の操作部材に前記グラフィカルユーザインタフェースに表示された、前記音声ファイルに対する操作のいずれかを選択する機能を割り当てる工程と、
前記第２の操作部材により選択された操作が予め設定された所定の操作であるかどうかを判断する工程と、
前記第２の操作部材により選択された操作が予め設定された所定の操作であると判断された場合に、前記第１の操作部材に前記音声ファイルを選択する以外の機能を再割り当てする工程とを有し、
前記撮像装置は、前記第１及び第２の操作部材によって選択された音声処理を実行することを特徴とする操作制御方法。
【請求項９】
前記音声ファイルに対する操作は、再生、再生の停止、録音、録音の停止、早送り、巻き戻し、消去、プロテクト、音量の変更を含むことを特徴とする請求項８に記載の操作制御方法。
【請求項１０】
前記所定の操作は音量を変更する操作であって、前記第２の操作部材により当該操作が選択された場合に、前記再割り当ての工程では、前記第１の操作部材に音量を上下する機能を割り当てることを特徴とする請求項８または９に記載の操作制御方法。
【請求項１１】
前記前記第２の操作部材により録音が指示されたかどうかを判断する工程と、
録音が指示されたと判断された場合に、前記第１の操作部材の操作を無効にする工程と
を更に有することを特徴とする請求項８乃至１０のいずれかに記載の操作制御方法。
【請求項１２】
上下ボタン及び左右ボタンを、前記第１の操作部材及び前記第２の操作部材として用いることを特徴とする請求項８乃至１１のいずれかに記載の操作制御方法。
【請求項１３】
前記音声処理の開始を指示されたかどうかを判断する判断工程と、
前記音声処理の開始が指示された場合に、音声ファイルがすでに存在するかどうかを判断する工程と、
音声ファイルが存在しないと判断された場合に、前記音声ファイルに対する操作として録音を自動的に選択し、前記第１の操作部材の操作を無効にする工程と
を更に有することを特徴とする請求項８乃至１２のいずれかに記載の操作制御方法。
【請求項１４】
前記音声ファイルに対する操作として録音が選択された場合に、新しく作成される音声ファイルを選択状態とするグラフィカルユーザインタフェースを表示する工程を更に有することを特徴とする請求項８乃至１３のいずれかに記載の操作制御方法。
【請求項１５】
請求項８乃至１４のいずれかに記載の操作制御方法を実現するためのプログラムコードを有することを特徴とする情報処理装置が実行可能なプログラム。
【請求項１６】
請求項１５に記載のプログラムを記憶したことを特徴とする情報処理装置が読み取り可能な記憶媒体。
【発明の詳細な説明】
【技術分野】
【０００１】
本発明は撮像装置及び撮像装置における操作制御方法に関し、特に、画像と音声を記録可能な撮像装置及び撮像装置における操作制御方法に関する。
【背景技術】
【０００２】
従来の音声の録音と再生を行う画像処理装置には、少ない操作部材で、画像処理装置の使用者が、より簡単に操作を行うことが可能としているものがある（例えば、特許文献１参照）。
【０００３】
特許文献１に記載の情報処理装置では、画像に対する付加情報として音声を記録する。記録媒体に記録した画像を表示中に音声記録・再生用ボタンを押下すると、音声パネルを表示し、音声パネル表示中に、表示中の画像データに対応する音声データが無い場合は録音ボタンを選択状態で表示することにより、即座に録音を行うことが可能となっている。
【０００４】
【特許文献１】特開２００３−１０１９１４号公報（図２、図３）
【発明の開示】
【発明が解決しようとする課題】
【０００５】
しかしながら、特許文献１は、音声を画像の付加情報として扱う場合の情報処理装置の操作方法について開示しているが、画像に依存しない音声を記録・再生する場合の操作方法について、何ら開示していない。
【０００６】
本発明は上記問題点を鑑みてなされたものであり、撮像装置において音声の記録・再生などの処理を行う場合に、少ない操作部材で処理のための操作を行えるようにすることを目的とする。
【課題を解決するための手段】
【０００７】
画像及び音声を記録・再生可能な本発明の撮像装置は、音声を処理する音声処理手段と、前記音声処理手段に処理を指示するための、音声ファイルと、該音声ファイルに対する操作を選択するためのグラフィカルユーザインタフェースを表示制御する表示制御手段と、前記グラフィカルユーザインタフェースに表示された前記音声ファイルのいずれかを選択する機能を割り当てられた第１の操作部材と、前記グラフィカルユーザインタフェースに表示された、前記音声ファイルに対する操作のいずれかを選択する機能を割り当てられた第２の操作部材と、前記第２の操作部材が選択した操作が予め設定された所定の操作である場合に、前記第１の操作部材に前記音声ファイルを選択する以外の機能を割り当てる再割り当て手段とを有し、前記音声処理手段は、前記第１及び第２の操作部材によって選択された音声処理を実行する。
【０００８】
画像及び音声を記録・再生可能であると共に、音声を処理可能であって、音声処理を指示するための、音声ファイルと、該音声ファイルに対する操作を選択するためのグラフィカルユーザインタフェースを表示制御する表示制御手段と、第１及び第２の操作部材とを有する撮像装置における本発明の操作制御方法は、前記第１の操作部材に前記グラフィカルユーザインタフェースに表示された前記音声ファイルのいずれかを選択する機能を割り当てる工程と、前記第２の操作部材に前記グラフィカルユーザインタフェースに表示された、前記音声ファイルに対する操作のいずれかを選択する機能を割り当てる工程と、前記第２の操作部材により選択された操作が予め設定された所定の操作であるかどうかを判断する工程と、前記第２の操作部材により選択された操作が予め設定された所定の操作であると判断された場合に、前記第１の操作部材に前記音声ファイルを選択する以外の機能を再割り当てする工程とを有し、前記撮像装置は、前記第１及び第２の操作部材によって選択された音声処理を実行する。
【発明の効果】
【０００９】
本発明によれば、撮像装置において音声の記録・再生などの処理を行う場合に、少ない操作部材で処理のための操作を行うことが可能となる。
【発明を実施するための最良の形態】
【００１０】
以下、添付図面を参照して本発明を実施するための最良の形態を詳細に説明する。ただし、本形態において例示される構成部品の寸法、形状、それらの相対配置などは、本発明が適用される装置の構成や各種条件により適宜変更されるべきものであり、本発明がそれらの例示に限定されるものではない。
【００１１】
図１は、本発明の実施の形態における画像処理装置１００の構成を示すブロック図である。
【００１２】
図１において、１０は撮影レンズ、１２は絞り機能を備えるシャッター、１４は光学像を電気信号に変換する撮像素子、１６は撮像素子１４のアナログ信号出力をディジタル信号に変換するＡ／Ｄ変換器である。
【００１３】
１８は撮像素子１４、Ａ／Ｄ変換器１６、Ｄ／Ａ変換器２６にそれぞれクロック信号や制御信号を供給するタイミング発生回路であり、メモリ制御回路２２及びシステム制御回路５０により制御される。
【００１４】
２０は画像処理回路であり、Ａ／Ｄ変換器１６からの画像データ或いはメモリ制御回路２２からの画像データに対して所定の画素補間処理や色変換処理を行う。また、画像処理回路２０は、Ａ／Ｄ変換器１６から出力される画像データを用いて所定の演算処理を行い、得られた演算結果に基づいてシステム制御回路５０が露光制御部４０及び測距制御部４２に対して、ＴＴＬ（スルー・ザ・レンズ）方式のオートフォーカス（ＡＦ）処理、自動露出（ＡＥ）処理、フラッシュプリ発光（ＥＦ）処理を行っている。さらに、画像処理回路２０は、Ａ／Ｄ変換器１６から出力される画像データを用いて所定の演算処理を行い、得られた演算結果に基づいてＴＴＬ方式のオートホワイトバランス（ＡＷＢ）処理も行っている。
【００１５】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。Ａ／Ｄ変換器１６から出力される画像データは、画像処理回路２０、メモリ制御回路２２を介して、或いはメモリ制御回路２２のみを介して、画像表示メモリ２４或いはメモリ３０に書き込まれる。
【００１６】
２４は画像表示メモリ、２６はＤ／Ａ変換器、２８はＴＦＴ  ＬＣＤ等から成る画像表示部であり、画像表示メモリ２４に書き込まれた表示用の画像データはＤ／Ａ変換器２６を介して画像表示部２８により表示される。画像表示部２８を用いて撮像した画像データを逐次表示すれば、電子ファインダー機能を実現することが可能である。また、画像表示部２８は、システム制御回路５０の指示により任意に表示をＯＮ／ＯＦＦすることが可能であり、表示をＯＦＦにした場合には画像処理装置１００の電力消費を大幅に低減することができる。なお、画像表示部２８は、回転可能なヒンジ部によって画像処理装置１００本体と結合されており、自由な向き、角度を設定して電子ファインダー機能や再生表示機能、各種表示機能を使用することが可能である。また、画像表示部２８の表示部分を画像処理装置１００に向けて格納することが可能であり、この場合は画像表示部開閉検知手段１０６により、格納状態を検知して画像表示部２８の表示動作を停止することができる。
【００１７】
３０は撮影した静止画像や動画像を格納するためのメモリであり、所定枚数の静止画像や所定時間の動画像を格納するのに充分な記憶容量を備えている。これにより、複数枚の静止画像を連続して撮影する連射撮影やパノラマ撮影の場合にも、高速かつ大量の画像をメモリ３０に書き込むことができる。また、メモリ３０は音声データを格納するためにも使用され、長秒の音声データの書き込みを行うことが可能である。更に、メモリ３０はシステム制御回路５０の作業領域としても使用することが可能である。
【００１８】
３２は適応離散コサイン変換（ＡＤＣＴ）等により画像データを圧縮・伸長する圧縮・伸長回路であり、メモリ３０に格納された画像を読み込んで圧縮処理或いは伸長処理を行い、処理を終えたデータが再びメモリ３０に書き込まれる。
【００１９】
３３は音声をアナログ信号に変換するマイク、３４はマイク３３から入力された音声のアナログ信号をデジタル信号に変換するＡ／Ｄ変換器である。３５は音声のデジタル信号をアナログ信号に変換するＤ／Ａ変換器であり、３６はＤ／Ａ変換器３５から出力される音声のアナログ信号を音声として発音するスピーカーである。
【００２０】
４０は絞り機能を備えるシャッター１２を制御する露光制御部であり、フラッシュ４０４と連携することによりフラッシュ調光機能も有するものである。４２は撮影レンズ１０のフォーカシングを制御する測距制御部、４４は撮影レンズ１０のズーミングを制御するズーム制御部、４６はレンズを保護するためのバリア１０２の動作を制御するバリア制御部である。４８はフラッシュであり、ＡＦ補助光の投光機能、フラッシュ調光機能も有する。露光制御部４０及び測距制御部４２はＴＴＬ方式を用いて制御されており、上述の通り、Ａ／Ｄ変換器１６からの画像データを画像処理回路２０によって演算した演算結果に基づき、システム制御回路５０が露光制御部４０及び測距制御部４２を制御する。
【００２１】
４８はコネクタであり、アクセサリーシューとも呼ばれ、フラッシュ装置４００との電気接点や機械的な固定手段も合わせて備えている。
【００２２】
５０は画像処理装置１００全体を制御するシステム制御回路であり、５２はシステム制御回路５０の動作用の定数、変数、プログラム等を記憶するメモリである。
【００２３】
５４はシステム制御回路５０でのプログラムの実行に応じて、文字、画像、音声等を用いて動作状態やメッセージ等を外部に通知するための通知部であり、例えばＬＣＤやＬＥＤ等による視覚的な表示を行う表示部や、音声による通知を行う発音素子などが用いられるが、これらの内１つ以上の組み合わせにより構成される。特に、表示部の場合には、画像処理装置１００の操作部７０近辺の視認し易い、単数或いは複数個所設置されている。また、通知部５４は、その一部の機能が光学ファインダー１０４内に設置されている。
【００２４】
通知部５４の通知内容のうち、ＬＣＤ等に表示するものとしては、例えば、シングルショット／連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００の着脱状態表示、通信Ｉ／Ｆ動作表示、日付け・時刻表示、外部コンピュータとの接続状態を示す表示等がある。
【００２５】
また、通知部５４の通知内容のうち、光学ファインダー１０４内に表示するものとしては、例えば、合焦表示、撮影準備完了表示、手振れ警告表示、フラッシュ充電表示、フラッシュ充電完了表示、シャッタースピード表示、絞り値表示、露出補正表示、記録媒体書き込み動作表示等がある。
【００２６】
さらに、通知部５４の通知内容のうち、ＬＥＤ等により表示するものとしては、例えば、合焦表示、撮影準備完了表示、手振れ警告表示、手振れ警告表示、フラッシュ充電表示、フラッシュ充電完了表示、記録媒体書き込み動作表示、マクロ撮影設定通知表示、二次電池充電状態表示等がある。
【００２７】
そして、通知部５４の通知内容のうち、ランプ等により通知するものとしては、例えば、セルフタイマー通知ランプ等がある。このセルフタイマー通知ランプは、ＡＦ補助光と共用して用いても良い。
【００２８】
５６は電気的に消去・記録可能な不揮発性メモリであり、例えばＥＥＰＲＯＭ等が用いられる。
【００２９】
６０、６１、６２、６４、６６、６８及び７０は、システム制御回路５０の各種の動作指示を入力するための操作手段であり、スイッチやダイアル、タッチパネル、視線検知によるポインティング、音声認識装置等の単数或いは複数の組み合わせで構成される。
【００３０】
ここで、これらの操作手段の具体的な説明を行う。
【００３１】
６０は電源ＯＮ／ＯＦＦスイッチで、画像処理装置１００の起動・終了を指示する。
【００３２】
６１はモードダイアルスイッチで、撮影モード、再生モード等の各機能モードを切り替え設定することができる。
【００３３】
６２はシャッタースイッチＳＷ１で、後述するシャッターボタン６３の半押しによりＯＮとなり、ＡＦ処理、ＡＥ処理、ＡＷＢ処理、ＥＦ処理等の動作開始を指示する。
【００３４】
６４はシャッタースイッチＳＷ２で、不図示のシャッターボタンの全押しによりＯＮとなり、撮像素子１４から読み出した信号をＡ／Ｄ変換器１６、メモリ制御回路２２を介して画像データをメモリ３０に書き込む露光処理、画像処理回路２０やメモリ制御回路２２での演算を用いた現像処理、メモリ３０から画像データを読み出し、圧縮・伸長回路３２で圧縮を行い、記録媒体２００に画像データを書き込む記録処理という一連の処理の動作開始を指示する。
【００３５】
６６は画像表示ＯＮ／ＯＦＦスイッチで、画像表示部２８のＯＮ／ＯＦＦを設定することができる。この機能により、光学ファインダー１０４を用いて撮影を行う際に、ＴＦＴ  ＬＣＤ等から成る画像表示部２８への電流供給を遮断することにより、省電力を図ることが可能となる。
【００３６】
６８は音声ボタンで、音声の録音・再生指示を行うことができる。この機能により、撮影した画像の付属情報として音声情報を追加したり、あるいは、音声だけを記録したりすることが可能となる。
【００３７】
７０は各種ボタンやタッチパネル等からなる操作部で、メニューボタン、セットボタン、マクロボタン、マルチ画面再生改ページボタン、フラッシュ設定ボタン、単写／連写／セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタン、パノラマモード等の撮影及び再生を実行する際に各種機能の選択及び切り替えを設定する選択/切り替えボタン、パノラマモード等の撮影及び再生を実行する際に各種機能の決定及び実行を設定する決定/実行ボタン、撮影直後に撮影した画像データを画像表示部２８で自動再生するクイックレビュー機能を設定するクイックレビューＯＮ／ＯＦＦボタン、ＪＰＥＧ圧縮の圧縮率の選択或いは撮像素子の信号をそのままディジタル化して記録媒体に記録するＣＣＤＲＡＷモードを選択するための圧縮モードスイッチ、再生モード、マルチ画面再生・消去モード、ＰＣ接続モード等の各機能モードを設定することができる再生モードスイッチ、撮影モード状態において、撮影した画像をメモリ３０或いは記録媒体２０００から読み出して画像表示部２８によって表示する再生動作の開始を指示する再生スイッチ等がある。
【００３８】
８０は電源制御部で、電池検出回路、ＤＣ−ＤＣコンバータ、通電するブロックを切り替えるスイッチ回路等により構成されており、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００３９】
８２、８４はコネクタ、８６はアルカリ電池やリチウム電池等の一次電池やＮｉＣｄ電池やＮｉＭＨ電池、Ｌｉ電池等の二次電池、ＡＣアダプター等からなる電源部である。
【００４０】
９０及び９４はメモリカードやハードディスク等の記録媒体とのインターフェース、９２及び９６はメモリカードやハードディスク等の記録媒体と接続を行うコネクタ、９８はコネクタ９２及び／或いは９６に記録媒体２００が装着されているか否かを検知する記録媒体着脱検知回路である。
【００４１】
なお、本実施の形態では記録媒体を取り付けるインターフェース及びコネクタを１系統持つものとして説明している。もちろん、記録媒体を取り付けるインターフェース及びコネクタは、単数或いは複数、いずれの系統数を備える構成としても構わない。また、異なる規格のインターフェース及びコネクタを組み合わせて備える構成としても構わない。
【００４２】
インターフェース及びコネクタとしては、ＰＣＭＣＩＡ（Personal Computer Memory Card International Association）カードやＣＦ（コンパクトフラッシュ（登録商標））カード等の規格に準拠したものを用いて構成することが可能である。インタフェース９０、そしてコネクタ９２をＰＣＭＣＩＡカードやＣＦ（登録商標）カード等の規格に準拠したものを用いて構成した場合、ＬＡＮカードやモデムカード、ＵＳＢ（Universal Serial Bus）カード、ＩＥＥＥ（Institute of Electrical and Electronic Engineers）１３９４カード、Ｐ１２８４カード、ＳＣＳＩ（Small Computer System Interface）カード、ＰＨＳ等の通信カード、等の各種通信カードを接続することにより、他のコンピュータやプリンタ等の周辺機器との間で画像データや画像データに付属した管理情報を転送し合うことができる。
【００４３】
１０２は、画像処理装置１００のレンズ１０を含む撮像部を覆う事により、撮像部の汚れや破損を防止する保護装置であるバリアである。
【００４４】
１０４は光学ファインダであり、画像表示部２８による電子ファインダー機能を使用すること無しに、光学ファインダーのみを用いて撮影を行うことが可能である。また、光学ファインダー１０４内には、通知部５４の一部の機能、例えば、合焦状態、手振れ警告、フラッシュ充電、シャッタースピード、絞り値、露出補正などが表示される。
【００４５】
１１０は通信回路で、ＲＳ２３２ＣやＵＳＢ、ＩＥＥＥ１３９４、Ｐ１２８４、ＳＣＳＩ、モデム、ＬＡＮ、無線通信、等の各種通信機能を有する。
【００４６】
１１２は通信回路１１０により画像処理装置１００を他の機器と接続するコネクタ、或いは無線通信の場合はアンテナである。
【００４７】
２００はメモリカードやハードディスク等の記録媒体である。この記録媒体２００は、半導体メモリや磁気ディスク等から構成される記録部２０２、画像処理装置１００とのインタフェース２０４、画像処理装置１００と接続を行うコネクタ２０６を備えている。また、２１０はメモリカードやハードディスク等の記録媒体であり、半導体メモリや磁気ディスク等から構成される記録部２１２、画像処理装置１００とのインタフェース２１４、画像処理装置１００と接続を行うコネクタ２１６を備えている。
【００４８】
記録媒体２００は、ＰＣＭＣＩＡカードやコンパクトフラッシュ（登録商標）等のメモリカード、ハードディスク等だけでなく、マイクロＤＡＴ、光磁気ディスク、ＣＤ−ＲやＣＤ−ＷＲ等の光ディスク、ＤＶＤ等の相変化型光ディスク等で構成されていても勿論構わない。
【００４９】
また、記録媒体２００はメモリカードとハードディスク等が一体となった複合媒体であってもよい。さらに、その複合媒体から一部が着脱可能な構成としてもよい。
【００５０】
４００はフラッシュ装置、４０２は画像処理装置１００のアクセサリーシューと接続するためのコネクタ、４０４はフラッシュであり、ＡＦ補助光の投光機能、フラッシュ調光機能も有する。
【００５１】
図２は、本実施の形態の画像処理装置１００の背面の一例を示す図である。なお、図１と同じ構成には同じ参照番号を付している。
【００５２】
音声ボタン６８は、音声をファイルとして新規記録したり、記録した音声ファイルを再生したりする指示を行うことができる。また、上記特許文献１により公開されているように、記録媒体２００に記録されている画像ファイルを画像表示部２８に表示しているときに、表示している画像の付加情報として音声を記録・再生を行うこともできる。
【００５３】
本実施の形態においては、音声ボタン６８を所定時間以上（例えば、１秒間以上）押下し続けたときには、音声を独立したファイルとして新規記録したり、記録した音声ファイルを再生したりすることが可能となるものとする。以降、ボタンを所定時間以上押下し続ける動作を、「長押し」と呼ぶ。一方、記録媒体２００に記録されている画像ファイルを画像表示部２８に表示しているときに、音声ボタン６８を押して、すぐに放したときには、表示している画像の付加情報として音声を記録・再生を行う。表示している画像の付加情報として音声を記録・再生を行う処理は、上記特許文献１などにより広く知られているため、ここでは特に説明しない。
【００５４】
６３はシャッターボタンであり、その半押しによりシャッタースイッチＳＷ１（６２）がＯＮとなり、その全押しによりシャッタースイッチＳＷ２（６４）がＯＮとなる。
【００５５】
また、図２において、３０１、３０２、３０９、３１０、３１１、３１２は図１の操作部７０に相当する操作部材である。
【００５６】
３０１はメニューボタンで、メニューの表示・非表示を行う。メニューにより、記録媒体２００に記録している画像の全消去や、回転操作などを行うことができる。３０２はＳＥＴボタンで、メニューや後述する音声パネルで選択した項目の決定を行うことができる。
【００５７】
３０９は左ボタン、３１０は右ボタン、３１１は上ボタン、３１２は下ボタンであり、メニュー表示時や音声パネル表示時などに、選択項目を変更する為に用いられる。
【００５８】
音声データ記録時には、システム制御回路５０は、マイク３３からのアナログデータをＡ／Ｄ変換器３４に通してデジタルデータに変換し、メモリ３０に書き込む。システム制御回路５０は、メモリ３０に書き込まれた音声データを所定のファイル形式（例えば、ＷＡＶ形式）に変換して記録媒体２００に記録する。
【００５９】
音声データ再生時には、システム制御回路５０は、記録媒体２００に記録されている音声ファイルを読み出して、音声ファイルの解析・デコードを行い、再生する音声デジタルデータをメモリ３０に書き込む。その後、メモリ３０に書き込んだ音声デジタルデータをＤ／Ａ変換器３５を介してスピーカー３６に供給し、音声を再生する。
【００６０】
次に、図３から図８を用いて、音声ボタン６８が長押しされたときに表示部５４に表示する画面について説明する。
【００６１】
図３は、音声ボタン６８が長押しされたときに画像表示部２８に表示される、音声パネルの一例である。音声パネルには、記録媒体２００に記録されている音声ファイルの一覧を表示するブラウズ領域５０１、音声ファイルの選択・非選択状態の表示を行う音声ファイル選択リスト５０２、スクロールバー５０３、操作の一覧を表示する操作パネル５０４、音声パネル非表示ボタン５０５、録音ボタン５０６、再生ボタン５０７、早戻しボタン５０８、早送りボタン５０９、削除ボタン５１０、プロテクトボタン５１１、ボリューム変更インジケータ５１２、再生位置インジケータ５１３、音声カウンタ５１４のＧＵＩ（グラフィカル・ユーザ・インターフェース）から構成される。
【００６２】
音声ファイル選択リスト５０２には、録音した日時と録音時間が表示される。例えば、図３（ａ）では、２００５年３月２４日１８時５７分に４秒間録音されたファイル（以下、「音声ファイル１」と呼ぶ。）が選択されていることを示している。また、２００５年３月２４日１８時５０分に１分１秒録音された音声ファイル（以下、「音声ファイル２」と呼ぶ。）、２００４年１１月１日１時１分に１２分１秒録音された音声ファイル（以下、「音声ファイル３」と呼ぶ。）が記録媒体２００に存在することを表している。ここでは、音声ファイル選択リストは、音声パネルを非表示状態から表示したときには、最も最近録音された音声ファイルが一番上に来るように降り順で表示される。図３（ａ）では、音声ファイル１の他に、操作パネル５０４の再生ボタン５０７が選択されており、このときＳＥＴボタン３０２が押下されると、システム制御回路５０は、選択されている音声ファイル１（オブジェクト）の再生を行う。
【００６３】
図３（ａ）の音声パネルに示すように、再生ボタン５０７が選択されている最中に、下ボタン３１２が押されたときは、システム制御回路５０は、音声ファイル１の次に最近録音された音声ファイル２を選択状態にすると共に、図３（ｂ）に示す状態に音声パネルの表示を変更する。ここでは、音声ファイル３の次に最近録音された音声ファイル４（２００４年１０月２０日１４時１３分に４秒録音された音声ファイル）が存在し、音声ファイル１の表示が消え、音声ファイル４が音声ファイル３の下に表示される。一方、図３（ｂ）の音声パネルを表示しているときに、上ボタン３１１が押下されたときは図３（ａ）に示す状態に音声パネルの表示を変更する。
【００６４】
このように、操作パネル５０４で選択されている操作が「再生」の場合には、上下ボタン３１１、３１２には音声ファイル選択リスト５０２中の音声ファイル（オブジェクト）を選択する機能が割り当てられる。なお、左右ボタン３０９、３１０には操作パネル５０４中の操作（ボタン５０５〜５１２）を選択する機能が割り当てられている。
【００６５】
図４は、図３（ｂ）の音声パネルを表示中にＳＥＴボタン３０２が押下され、音声を再生するときに表示される音声パネルの一例である。図４（ａ）に示すように、再生ボタ５０７が停止ボタンに変化し、再生位置インジケータ５１３が音声ファイル全体の長さに対して、再生している音声の位置を表示し、音声カウンタ５１４が現在再生中の音声の秒数を表示する。図４（ａ）では、１分１秒記録された音声のうち録音開始から約３０秒後に記録された音声を再生中であることを表している。
【００６６】
音声再生中にＳＥＴボタン３０２が押下されると、音声の再生を停止する。例えば、図４（ａ）の画面を表示中にＳＥＴボタン３０２が押下されると、図４（ｂ）に示すような画面を表示する。再生ボタン５０７が、停止ボタンから再生ボタンに戻り、再生位置インジケータ５１３が音声ファイル全体の長さに対して、再生を停止した位置を表示し、音声カウンタ５１４が再生を停止した音声の秒数を表示する。
【００６７】
なお、システム制御回路５０は、再生ボタン５０７が選択されている場合の他に、操作パネル５０４において、音声パネル非表示ボタン５０５、早戻しボタン５０８、早送りボタン５０９、削除ボタン５１０、およびプロテクトボタン５１１が選択されているときは、再生ボタン５０７が選択されているときと同様に、上下ボタン３１１、３１２に、音声ファイル（オブジェクト）の選択機能を割り当てる。
【００６８】
図５は、再生する音声の音量を変更する場合に表示される音声パネルの一例である。この音声パネルは、図３（ａ）に示すような音声パネルにおいて、左ボタン３０９、もしくは右ボタン３１０が押下され、操作パネル５０４のボリューム変更インジケータ５１２が選択されたときに表示される。図５（ａ）の音声パネルが表示されているときに、上ボタン３１１が押下されたときは、音声再生時のボリュームを上げると共にボリューム変更インジケータ５１２の音量表示を大きくし、図５（ｂ）に示すような音声パネルの表示に変更する。図５（ｂ）の音声パネルを表示しているときに、下ボタン３１２が押下されたときは、音声ボリュームインジケータの音量を小さくし、図５（ａ）の音声パネルを表示する。
【００６９】
このように、操作パネル５０４で選択されている操作が「ボリューム変更インジケータ」の場合には、上下ボタン３１１、３１２にはオブジェクトを選択する機能ではなく、ボリューム変更機能が割り当てられる。
【００７０】
図６は、図３（ａ）や図５（ａ）に示すような音声パネルにおいて、左右ボタン３０９、３１０によって、操作パネル５０４の録音ボタン５０６が選択されたときに表示される音声パネルの一例である。録音する場合は、新規に音声ファイルが作成され、音声ファイルの選択ができないため、音声ファイル選択リスト５０２には、録音した日時、録音時間ともに「-」で表現することによって、新規音声ファイルが作成されることを表現している。録音時は、上下ボタン３１１、３１２は無効であり、押下されてもシステム制御回路５０は何もしない。この状態を録音モードと呼ぶ。一方、録音モード以外のモードをブラウズモードと呼ぶ。また、録音モードでは、再生位置インジケータ５１３、音声カウンタ５１４は特に必要が無いため、表示しなくてもよく、図６では表示しない場合を示している。
【００７１】
図７は、音声ボタン６８が長押しされたときに画像表示部２８に表示される音声パネルの別の一例であり、図３の場合とは異なり、記録媒体２００に音声ファイルが一つも存在しない場合に表示される。音声ファイルが一つも存在しないときは、録音操作のみ行うことが可能なため、操作パネル５０４の録音ボタン５０６を選択状態にし、録音モードの音声パネルを表示する。
【００７２】
図８は、図６の音声パネルを表示中にＳＥＴボタン３０２が押下され、音声を録音するときに表示される音声パネルの一例である。図８（ａ）に示すように、録音ボタン５０６が停止ボタンに変化し、音声ファイル選択リスト５０２に、録音開始時間と録音時間が表示される。録音時間の表示は、録音した時間に応じてカウントアップされる。図８（ａ）では、２００５年４月４日１０時２８分に録音を開始し、録音開始から２０秒間録音しており、録音中であることを表している。
【００７３】
録音中にＳＥＴボタン３０２が押下されると、録音を終了する。例えば、図８（ａ）の画面を表示中にＳＥＴボタン３０２が押下されると、図８（ｂ）に示すような画面を表示する。録音ボタン５０６が、停止ボタンから録音ボタンに戻り、音声ファイル選択リスト５０２には、録音した日時、録音時間ともに「-」で表現することによって、新規に録音可能であることを示す。また、音声ファイル選択リスト５０２に、録音したファイル（２００５年４月４日１０時２８分に録音開始、録音時間２０秒）を追加する。
【００７４】
図９および図１０は、画像処理装置１００の処理を示すフローチャートである。以下、図９および図１０に沿って、情報処理装置１００の動作を説明する。
【００７５】
まず図９のステップＳ１０１において、システム制御回路５０は電源ＯＮ／ＯＦＦボタン６０の状態を判定し、電源がＯＦＦの場合は処理を終了する。一方、電源ＯＮの場合は、モードダイアル６１の状態を判定し（ステップＳ１０２）、撮影モードであった場合には撮影の処理を行ってから（ステップＳ１０３）、ステップＳ１０１に戻る。
【００７６】
一方、ステップＳ１０２で再生モードであった場合は、音声ボタン６８が長押しされたかどうかを判定し（ステップＳ１０４）、音声ボタンが長押しされていなかった場合は、ボタンに応じた処理を行い（ステップＳ１０５）、ステップＳ１０１に戻る。
【００７７】
ステップＳ１０４で音声ボタンが長押しされていた場合は、記録媒体２００に音声ファイルが存在するかどうかを判別し（ステップＳ１０６）、音声ファイルが存在する場合はブラウズモード表示を行う（ステップＳ１０７）。上述したように、ブラウズモードは録音モード以外のモードで、例えば、前述した図３のような音声パネルを表示する。一方、ステップＳ１０６で音声ファイルが存在しなかった場合は録音モード表示を行う（ステップＳ１０８）。録音モード表示処理では、例えば図７のような音声パネルを表示する。
【００７８】
システム制御回路５０は、ステップＳ１０７またはＳ１０８で図３または図７のような音声パネルを表示後、左右ボタン３０９、３１０が押下されたかどうかを判定し（ステップＳ１１０）、押下されていた場合はステップＳ１１１に進む。音声ファイルが存在するかどうかを判定し（ステップＳ１１１）、音声ファイルが存在しなかったときは、音声パネル非表示ボタン５０５と録音ボタン５０６の選択状態を切り替える（ステップＳ１１２）。このように、音声ファイルが存在しないときは、再生などの音声ファイルを必要とする動作を実施することができないので、録音動作、および音声パネルを非表示にする処理のみ選択することが可能である。
【００７９】
一方、ステップＳ１１１で音声ファイルが存在する場合は、システム制御回路５０は、処理項目を変更する（ステップＳ１１３）。例えば、図３（ａ）を表示中に右ボタン３１０が押下されたときは、現在選択されている再生ボタン５０７の右隣にある、早戻しボタン５０８を選択状態にする。一方、左ボタン３０９が押されたときは、現在選択されている再生ボタン５０７の左隣にある、録音ボタンを選択状態にする。
【００８０】
システム制御回路５０は、ブラウズモード／録音モードの変更があったかどうかを判定し（ステップＳ１１４）、モードの変更が無かった場合にはステップＳ１１０に戻る。一方、モードに変更があった場合は、録音モードになったかどうかを判定し（ステップＳ１１５）、録音モードになった場合は録音モードに設定し（ステップＳ１１６）、例えば図６のような音声パネルを表示する。一方、ブラウズモードになった場合はブラウズモードに設定し（ステップＳ１１７）、例えば図３のような音声パネルを表示する。その後、ステップＳ１１０に戻る。
【００８１】
システム制御回路５０は、ステップＳ１１０で左右ボタン３０９、３１０以外が押下されたと判断すると、ステップＳ１１８で上下ボタン３１１、３１２が押下されたかどうかを判定する。上下ボタン３１１、３１２が押下された場合は、現在、ブラウズモード表示中かどうかを判定し（ステップＳ１１９）、ブラウズモードでは無いときは（録音モード）何もせずにステップＳ１１０に戻る。
【００８２】
システム制御回路５０は、ステップＳ１１９でブラウズモードであったときは、ボリューム変更インジケータ５１２が選択されているかどうかを判別する（ステップＳ１２０）。ボリューム変更インジケータ５１２が選択されているときは、音量の変更を行う（ステップＳ１２１）。上ボタン３１１が押されたときは音量を大きくし、下ボタン３１２が押されたときは音量を小さくする。音量設定画面としては、例えば、図５の（ａ）及び（ｂ）のような画面を表示する。その後、ステップＳ１１０に戻る。
【００８３】
システム制御回路５０は、ステップＳ１２０でボリューム変更インジケータ５１２が選択されていないときは、選択する音声ファイルを変更する（ステップＳ１２２）。上ボタン３１１が押された場合は、選択中の音声ファイルよりも、時間的に後に録音された音声ファイルを選択し、下ボタン３１２が押下された場合は、選択中の音声ファイルよりも、時間的に前に録音された音声ファイルの選択を行う。上下ボタン３１１、３１２で選択する音声ファイルを変更する画面としては、例えば、図３の（ａ）及び（ｂ）のような画面を表示する。その後、ステップＳ１１０に戻る。
【００８４】
システム制御回路５０は、ステップＳ１１８で上下ボタン３１１、３１２以外が押下されたときには、ＳＥＴボタン３０２が押下されたかどうかを判定する（ステップＳ１２３）。ＳＥＴボタン３０２が押下されていないときは、何もせずにステップＳ１１０に戻る。一方、ステップＳ１２３でＳＥＴボタン３０２が押下された場合は、現在、選択中の項目が、音声パネル非表示ボタン５０５かどうかを判定し（ステップＳ１２４）、音声パネル非表示ボタン５０５が選択されているときは、音声パネルを非表示にして（ステップＳ１３０）、ステップＳ１０１に戻る
【００８５】
システム制御回路５０は、ステップＳ１２４で音声パネル非表示ボタン５０５以外が選択されているときは、録音ボタン５０６か再生ボタン５０７が選択されているかどうかを判定し（ステップＳ１２５）、選択されていないときは、処理項目に応じた処理を行う（ステップＳ１２６）。ここではたとえば、早戻し、早送り、削除、プロテクトなどを行う。
【００８６】
システム制御回路５０は、ステップＳ１２３で録音ボタン５０６か再生ボタン５０７が選択されているときは、録音あるいは再生を開始する（ステップＳ１２７）。その後、ＳＥＴボタン３０２が押下されたかどうかを判定し（ステップＳ１２８）、押されていないときは、押されるまでステップＳ１２８の判定を繰り返す。ＳＥＴボタン３０２が押下されたときは、録音あるいは再生を終了して（ステップＳ１２９）、ステップＳ１１０に戻る。ステップＳ１２７からＳ１２９までの処理では、例えば、再生時は図４の（ａ）及び（ｂ）を、録音時は図８の（ａ）及び（ｂ）の画面の表示を行う。
【００８７】
以上説明したように、特定の操作が選択されたときに、操作ボタンなどに割り当てられた機能を変えることによって、より少ない数の操作部材で、簡単に操作を行うことが可能となるユーザインターフェースを提供することが可能となる。
【００８８】
なお、上記実施の形態では、上下ボタンに画像ファイルの選択、左右ボタンに操作の選択を割り当てたが、これに限るものではなく、上下ボタンに操作の選択、左右ボタンに画像ファイルの選択を割り当てるようにしても良い。また、上下ボタン、左右ボタン以外のボタンに、画像ファイルの選択機能及び操作の選択機能を割り当てるようにしても良いことは言うまでもない。
【００８９】
また、本実施の形態において例示されるグラフィカルユーザインタフェースの構成部品の寸法、形状、それらの相対配置などは、本発明が適用されるアプリケーションや各種条件により適宜変更されるべきものであり、本発明が実施の形態における例示に限定されるものではない。
【００９０】
なお、本実施形態では、画像に関連しない音声について説明したが、画像に付与する音声等の記録及び再生の際に適用できることは言うまでもない
【００９１】
＜他の実施形態＞
本発明の目的は、前述した実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることは言うまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。ここでプログラムコードを記憶する記憶媒体としては、例えば、フレキシブルディスク、ハードディスク、ＲＯＭ、ＲＡＭ、磁気テープ、不揮発性のメモリカード、ＣＤ−ＲＯＭ、ＣＤ−Ｒ、ＤＶＤ、光ディスク、光磁気ディスク、ＭＯなどが考えられる。また、ＬＡＮ（ローカル・エリア・ネットワーク）やＷＡＮ（ワイド・エリア・ネットワーク）などのコンピュータネットワークを、プログラムコードを供給するために用いることができる。
【００９２】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【図面の簡単な説明】
【００９３】
【図１】本発明の実施の形態における画像処理装置の構成を示すブロック図である。
【図２】本発明の実施の形態における画像処理装置の背面図である。
【図３】本発明の実施の形態において、再生が選択されている時の音声パネルの一表示例を示す図である。
【図４】本発明の実施の形態における再生処理時の音声パネルの一表示例を示す図である。
【図５】本発明の実施の形態において、音量を変更する時の音声パネルの一表示例を示す図である。
【図６】本発明の実施の形態において、記録が選択されている時の音声パネルの一表示例を示す図である。
【図７】本発明の実施の形態において、音声ファイルが存在しない時の音声パネルの一表示例を示す図である。
【図８】本発明の実施の形態における記録処理時の音声パネルの一表示例を示す図である。
【図９】本発明の実施の形態における画像処理装置の処理を示すフローチャートである。
【図１０】本発明の実施の形態における画像処理装置の処理を示すフローチャートである。
【符号の説明】
【００９４】
１０：撮影レンズ、１２：シャッター、１４：撮像素子、１６：Ａ／Ｄ変換器、１８：タイミング発生回路、２０：画像処理回路、２２：メモリ制御回路、２４：画像表示メモリ、２６：Ｄ／Ａ変換器、２８：画像表示部、３０：メモリ、３２：圧縮伸長部、３３：マイク、３４：Ａ／Ｄ変換器、３５：Ｄ／Ａ変換器、３６：スピーカー、４０：露光制御部、４２：測距制御部、４４：ズーム制御部、４６：バリア制御部、５０：システム制御回路、５２：メモリ、５４：通知部、５６：不揮発性メモリ、６０：電源ＯＮ／ＯＦＦスイッチ、６１：モードダイアルスイッチ、６２：シャッタースイッチＳＷ１、６３：シャッターボタン、６４：シャッタースイッチＳＷ２、６６：画像表示ＯＮ／ＯＦＦスイッチ、６８：音声ボタン、７０：操作部、８０：電源制御部、８２、８４：コネクタ、８６：電源、９０、９４：インタフェース、９２：コネクタ、９８：記録媒体検知部、１００：画像処理装置、１０２：バリア、１０４：光学ファインダ、１１０：通信回路、１１２：コネクタ（またはアンテナ）、２００：記録媒体、２０２：記録部、２０４：インタフェース、２０６：コネクタ、３０１：メニューボタン、３０２：ＳＥＴボタン、３０９：左ボタン、３１０：右ボタン、３１１：上ボタン、３１２：下ボタン、４０４：フラッシュ
【図１】
2006304000.tif 000003
【図２】
2006304000.tif 000004
【図３】
2006304000.tif 000005
【図４】
2006304000.tif 000006
【図５】
2006304000.tif 000007
【図６】
2006304000.tif 000008
【図７】
2006304000.tif 000009
【図８】
2006304000.tif 000010
【図９】
2006304000.tif 000011
【図１０】
2006304000.tif 000012